(57)【要約】【課題】可変速度制御方式の圧縮機を搭載した冷蔵庫の庫内温度上昇を抑制する制御装置を提供する。【解決手段】冷蔵庫の圧縮機駆動用のモーターの回転数を可変速制御する圧縮機回転数制御手段１５と、冷蔵庫扉の開閉状態と開閉角度を検出する扉開閉角度検出手段１１と、冷蔵庫扉の開閉角度を予め定められた開閉角度と比較する扉開閉角度判定手段１２と、扉開放状態の経過時間を積算する扉開放時間カウントタイマ１３と、扉開放状態の経過時間を予め定められた扉開放状態の経過時間と比較する扉開放時間判定手段１４を備え、前記冷蔵庫扉の開閉が行われた場合、その時の冷蔵庫扉の開閉角度と開放状態経過時間を判定して、冷蔵庫扉の開放状態終了後、圧縮機の回転数を予め定められた回転数で一定時間強制的に運転するようにしたものであり、冷蔵庫内の温度上昇を抑制して庫内の食品などへの悪影響を少なくできる。【選択図】図１
2005172299.tif 000002
【特許請求の範囲】
【請求項１】
冷蔵庫の圧縮機駆動用のモーターの回転数を可変速制御する圧縮機回転数制御手段と、冷蔵庫扉の開閉状態と開閉角度を検出する扉開閉角度検出手段と、冷蔵庫扉の開閉角度を予め定められた開閉角度と比較する扉開閉角度判定手段と、扉開放状態の経過時間を積算する扉開放時間積算手段と、扉開放状態の経過時間を予め定められた扉開放状態の経過時間と比較する扉開放時間判定手段を具備し、前記冷蔵庫扉の開閉が行われた場合、その時の冷蔵庫扉の開閉角度と開放状態経過時間を判定して、冷蔵庫扉の開放状態終了後、圧縮機の回転数を予め定められた回転数で一定時間強制的に運転するようにした冷蔵庫。
【発明の詳細な説明】
【技術分野】
【０００１】
本発明は、庫内温度管理に有効なモーター回転数を可変速制御する圧縮機を備えた冷蔵庫に関するものである。
【背景技術】
【０００２】
近年、冷蔵庫の運転効率を向上させる手段として、インバータによる圧縮機の可変速制御が検討されている。（例えば、特許文献１参照）
以下、図面を参照しながら従来の冷蔵庫の制御装置を説明する。
【０００３】
図３は従来の冷蔵庫の制御装置のブロック図である。１は圧縮機回転数制御回路で、前記圧縮機回転数制御回路１は交流電源２と、整流回路３、スイッチングトランジスタと還流ダイオードからなるスイッチング素子４で構成されるインバータ制御回路５によって構成されている。前記インバータ制御回路５の出力周波数を変化させることによって圧縮機のモータが可変速制御される。前記圧縮機可変速制御回路１は、庫内温度検出手段６と庫内設定温度検出手段７の検出信号にもとづいて機能し、庫内温度が設定温度に近づくように圧縮機の回転数を可変速制御する。８は前記圧縮機回転数制御回路１とは独立して設けられた扉開閉検出手段で、９は前記扉開閉検出手段８の信号により庫内ファン１０を回転または停止させる庫内ファン制御手段である。
【特許文献１】特開昭６０−１４００８１号公報
【発明の開示】
【発明が解決しようとする課題】
【０００４】
しかしながら、上記のような圧縮機の回転数制御において、特に冷蔵庫扉の開閉が行われた場合、庫外からの暖気が流入し庫内温度を上昇させ、その庫内温度を検知して圧縮機の回転数を制御するが、庫内温度検出手段の形態、取付位置などによっては、庫内温度が一様に所定の温度に安定するまで時間を要し、保存中の食品などに悪影響を及ぼす恐れがある。
【０００５】
本発明の目的は、インバータによって冷蔵庫の圧縮機を可変速制御するにあたって、特に冷蔵庫扉の開閉が行われた場合、その時の冷蔵庫扉の開閉角度と開放時間に応じて、冷蔵庫扉の開放状態の終了後、圧縮機を予め定められた回転数で一定時間強制的に運転することで、冷蔵庫内の温度上昇を抑制して庫内の食品などへの悪影響を少なくする制御方法を提供することにある。
【課題を解決するための手段】
【０００６】
上記課題を解決するため、本発明の冷蔵庫は、冷蔵庫の圧縮機駆動用のモーターの回転数を可変速制御する圧縮機回転数制御手段と、冷蔵庫扉の開閉状態と開閉角度を検出する扉開閉角度検出手段と、冷蔵庫扉の開閉角度を予め定められた開閉角度と比較する扉開閉角度判定手段と、扉開放状態の経過時間を積算する扉開放時間積算手段と、扉開放状態の経過時間を予め定められた扉開放状態の経過時間と比較する扉開放時間判定手段を具備し、前記冷蔵庫扉の開閉が行われた場合、その時の冷蔵庫扉の開閉角度と開放状態経過時間を判定して、冷蔵庫扉の開放状態終了後、圧縮機の回転数を予め定められた回転数で一定時間強制的に運転するようにした冷蔵庫であり、これによって冷蔵庫内の温度上昇を抑制して庫内の食品などへの悪影響を少なくする。
【発明の効果】
【０００７】
本発明の冷蔵庫によれば、冷蔵庫扉開閉による温度上昇をより確実に抑えることができ、庫内の食品に及ぼす悪影響を少なくすることができる。
【発明を実施するための最良の形態】
【０００８】
請求項１に記載の冷蔵庫の発明は、冷蔵庫の圧縮機駆動用のモーターの回転数を可変速制御する圧縮機回転数制御手段と、冷蔵庫扉の開閉状態と開閉角度を検出する扉開閉角度検出手段と、冷蔵庫扉の開閉角度を予め定められた開閉角度と比較する扉開閉角度判定手段と、扉開放状態の経過時間を積算する扉開放時間積算手段と、扉開放状態の経過時間を予め定められた扉開放状態の経過時間と比較する扉開放時間判定手段を具備し、前記冷蔵庫扉の開閉が行われた場合、その時の冷蔵庫扉の開閉角度と開放状態経過時間を判定して、冷蔵庫扉の開放状態終了後、圧縮機の回転数を予め定められた回転数で一定時間強制的に運転するようにした冷蔵庫であり、これによって冷蔵庫内の温度上昇を抑制して庫内の食品などへの悪影響を少なくする。
【０００９】
以下、本発明の実施の形態について、図面を参照しながら説明する。なお、従来と同一構成については、同一符号を付して詳細な説明を省略する。また、この実施の形態によってこの発明が限定されるものではない。
【００１０】
（実施の形態１）
図１は、本発明の実施の形態による冷蔵庫のブロック図である。図２は同実施の形態の動作を示すフローチャートである。図１おいて、１１は扉開閉角度検出手段で、例えばドアヒンジの回転に連動したボリューム抵抗などで構成される。１２は冷蔵庫扉開閉角度と予め定められた扉開閉角度を比較する扉開閉角度判定手段である。１３は冷蔵庫扉開放状態の経過時間を積算する扉開放時間カウントタイマである。１４は冷蔵庫扉開放状態の経過時間と予め定められた冷蔵庫扉開放状態の経過時間を比較する扉開放時間判定手段である。１５は圧縮機回転数制御手段で、例えばインバータ回路などによって構成される。
【００１１】
以上のように構成された本発明の実施形態について、その動作を図２のフローチャートを用いて説明する。
【００１２】
まずステップ１において、扉開閉角度検知手段にて扉開閉角度（＝Ｄ）を検知し、ステップ２において、扉開閉角度Ｄが０度かどうかを判定して、扉が開かれたかどうかを判定する。この時、扉開閉角度Ｄ≠０度であれば扉が開かれたと判断して、ステップ３にて扉開放時間（＝Ｔ）カウントタイマをスタートさせる。扉開閉角度Ｄが０度の場合は、そのまま通常運転を継続し、扉開閉角度を読み続ける。次に、ステップ４において、扉開閉角度Ｄが予め定められた扉開閉角度Ｄ１より大きいかどうかを判定し、Ｄ＞Ｄ１の場合とＤ＜Ｄ１の場合に分岐する。次に、ステップ５において、扉開閉角度Ｄが０度かどうかを判定して、扉開閉角度Ｄ＝０であれば扉が閉じられたと判断して、ステップ６にて、扉開放時間カウントタイマをストップさせる。扉開閉角度Ｄ＝０でなければ、扉が開かれたままであると判断して、扉開放時間のカウントを継続する。次に、ステップ７において、カウントされた扉開放時間Ｔが予め定められた扉開放時間Ｔ１より大きいかどうかを判定し、Ｔ＞Ｔ１の場合とＴ＜Ｔ１の場合に分岐する。次に、ステップ８において、Ｔ＞Ｔ１の場合とＴ＜Ｔ１の場合のそれぞれにおいて、圧縮機を予め定められた回転数で一定時間強制的に運転させる。次に、ステップ９において、扉開放時間カウントタイマをリセットさせて、ステップ１へ戻る。尚、ステップ４について、Ｄ＞Ｄ１とＤ＜Ｄ１のいずれの場合もステップ５以下同様の制御を行い、ステップ８での圧縮機強制運転モードがそれぞれ予め定められた回転数で実行される。
【００１３】
以上のように構成された冷蔵庫の制御装置では冷蔵庫扉の開閉角度と開放時間を検知して、それによって圧縮機を強制的に運転させることで、扉開閉による庫内温度上昇を抑えることができる。
【産業上の利用可能性】
【００１４】
以上のように、本発明にかかる冷蔵庫は、冷蔵庫扉開閉による温度上昇をより確実に抑えることができ、庫内の食品に及ぼす悪影響を少なくすることができるので、可変速制御方式の圧縮機を備えた冷蔵庫およびその他の冷却機器の冷却信頼性の確保に有用である。
【図面の簡単な説明】
【００１５】
【図１】本発明による実施の形態１の冷蔵庫の制御装置の構成を示すブロック図
【図２】同実施の形態の冷蔵庫の制御動作を示すフローチャート
【図３】従来例の冷蔵庫の制御装置の構成を示すブロック図
【符号の説明】
【００１６】
１１    扉開閉角度検出手段
１２    扉開閉角度判定手段
１３    扉開放時間カウントタイマ
１４    扉開放時間判定手段
１５    圧縮機回転数制御手段
【図１】
2005172299.tif 000003
【図２】
2005172299.tif 000004
【図３】
2005172299.tif 000005